(57)【特許請求の範囲】
【請求項１】
紳士用、婦人用の革靴のカウンターの内側に取付けて腰裏とする腰裏材であり、
前記腰裏材はクッションを二つ備え、
それらクッションは前記腰裏材の内面にその横幅方向に離して取付けられ、腰裏材を革靴のカウンターの内側に取付けて腰裏とすることにより、革靴の履き口の両側面であって、着用した足の踝の下方となる箇所であって、履き口のトップライン寄りの位置であり、踵部よりも前方両側面の夫々の箇所に配置されて、履き口の内側に突設されるようにした、
ことを特徴とするクッション付き裏材。
【請求項２】
紳士用、婦人用の革靴のカウンターの内側に取付けてすべりとするすべり裏材であり、
前記すべり裏材は、その横幅方向両外側端部にクッションを二つ備え、
それらクッションは前記すべり裏材の内面にその横幅方向に離して取付けられ、すべり裏材を革靴のカウンターの内側に取付けてすべりとすることにより、革靴の履き口の両側面であって、着用した足の踝の下方となる箇所であって、履き口のトップライン寄りの位置であり、踵部よりも前方両側面の夫々の箇所に配置されて、履き口の内側に突設されるようにした、
ことを特徴とするクッション付き裏材。
【請求項３】
紳士用、婦人用の革靴のカウンターの裏側に取付けてすべり及び腰裏とする裏材であり、
前記裏材は、すべり裏材の横幅方向両側に腰裏材が連設された連設裏材であり、
前記連設裏材はクッションを二つ備え、
前記二つのクッションは連設裏材の横幅方向に離して設けられ、連設裏材を革靴のカウンターの裏側に取付けてすべり及び腰裏とすることにより、革靴の履き口の両側面であって、着用した足の踝の下方となる箇所であって、履き口のトップライン寄りの位置であり、踵部よりも前方両側面の夫々の箇所に配置されて、履き口の内側に突設されるようにした、
ことを特徴とするクッション付き裏材。
【請求項４】
請求項１から請求項３のいずれか１項に記載のクッション付き裏材において、
クッションの外側が補強材で被覆され、補強材のうちクッションの外周部分を裏材に縫製して、クッションを裏材と補強材の間に挟んだ、
ことを特徴とするクッション付き裏材。
【請求項５】
紳士用、婦人用の革靴において、
請求項１記載のクッション付き裏材を、革靴のカウンターの内側に取付けて腰裏とすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられた、
ことを特徴とするクッション付き革靴。
【請求項６】
紳士用、婦人用の革靴において、
請求項２記載のクッション付き裏材を、革靴のカウンターの内側に取付けてすべりとすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられた、
ことを特徴とするクッション付き革靴。
【請求項７】
紳士用、婦人用の革靴において、
請求項３記載のクッション付き裏材を、革靴のカウンターの裏側に取付けてすべり及び腰裏とすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられた、
ことを特徴とするクッション付き革靴。
【請求項８】
紳士用、婦人用の革靴において、
請求項４記載のクッション付き裏材を、革靴のカウンターの裏側に取付けて腰裏、又はすべり、又はすべり及び腰裏とすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられた、
ことを特徴とするクッション付き革靴。
【発明の詳細な説明】
【技術分野】
【０００１】
本願発明は、靴を履いたときの足の収まりを良くする（フィットし易くする）クッションを備えた裏材と、その裏材を使用した革製の紳士靴や婦人靴（以下「革靴」という。）に関するものである。
【背景技術】
【０００２】
革靴は、靴の型崩れを防止し、靴の形状を維持するため、踵部分及びその両側部分（周囲）の腰裏と腰革の間に、型崩れし難い硬質革製の月型芯（カウンター）を入れるのが一般的である。
【０００３】
カウンターを入れることによって踵部分及びその周囲の型崩れを防止することができるが、カウンターは硬質革製であるため、踵部分及びその周囲が他の部分に比べて足に馴染みにくくなり、踵部分及びその周囲に足の収まりが悪いとか、歩行時に靴が脱げ易いといった難点が指摘されていた。
【０００４】
前記指摘に対しては、図８に示すような取り外し式のクッション材や、踵の内側に突出するクッション材が設けられた婦人靴（特許文献１）が提案されている。
【先行技術文献】
【特許文献】
【０００５】
【特許文献１】特開２０１１−４１５９０号公報
【０００６】
図８に示すものは、革靴とは別売りのクッション材Ａを、踵部分とその両側周辺に貼り付けて使用するものである。このクッション材Ａは貼り付けるものであるため、汗や雨などによる接着性の劣化によって、靴の脱ぎ履きが繰返されることにより剥がれてしまうことがある。また、使用者が貼り付けなければならないため手間が掛って面倒であり、貼り付け位置がずれて履き心地が悪くなる、といった課題もあった。更には、革靴と別に購入するため、その分費用が嵩むという難点もあった。
【０００７】
前記特許文献１に記載の婦人靴は、クッション材が踵の側方に縫い付けられているため、図８に示すクッション材Ａのような難点は無いが、横に広がりにくい踵寄りの部位に設けられているため、履いたり脱いだりするときにクッション材が邪魔になって履きにくいとか脱ぎにくいといった難点がある。また、足の踵が両側方から圧迫されて踵やアキレス腱の上下動が阻害されることがあり、歩き難いとか踵が擦れたりし易い。大きめのサイズの革靴を着用すれば踵やアキレス腱の上下動がスムーズになるが、足をホールドする力が弱くなって足の収まりが悪くなり歩行し難くなるとか、歩行時に革靴の中で足が上下に動き過ぎてクッション材と擦れて靴ずれし易くなる虞もある。
【発明の概要】
【発明が解決しようとする課題】
【０００８】
本願発明は前記事情に鑑みて開発されたものであり、その解決課題は、着用時に足にフィットして歩行し易く、踵やアキレス腱の上下動が妨げられにくく、履いたり脱いだりするときに邪魔にならない、クッション付き革靴と、革靴用のクッション付き裏材を提供することにある。
【課題を解決するための手段】
【０００９】
本願発明のクッション付き裏材は、紳士用、婦人用の革靴のカウンターの内側に取付けて腰裏とする腰裏材であり、前記腰裏材はクッションを二つ備え、それらクッションは前記腰裏材の内面にその横幅方向に離して取付けられ、腰裏材を革靴のカウンターの内側に取付けて腰裏とすることにより、革靴の履き口の両側面であって、着用した足の踝の下方となる箇所であって、履き口のトップライン寄りの位置であり、踵部よりも前方両側面の夫々の箇所に配置されて、履き口の内側に突設されるようにしたものである。
【００１０】
本願発明のクッション付き裏材は、紳士用、婦人用の革靴のカウンターの内側に取付けてすべりとするすべり裏材であり、前記すべり裏材は、その横幅方向両外側端部にクッションを二つ備え、それらクッションは前記すべり裏材の内面にその横幅方向に離して取付けられ、すべり裏材を革靴のカウンターの内側に取付けてすべりとすることにより、革靴の履き口の両側面であって、着用した足の踝の下方となる箇所であって、履き口のトップライン寄りの位置であり、踵部よりも前方両側面の夫々の箇所に配置されて、履き口の内側に突設されるようにしたものである。
【００１１】
本願発明のクッション付き裏材は、紳士用、婦人用の革靴のカウンターの裏側に取付けてすべり及び腰裏とする裏材であり、前記裏材は、すべり裏材の横幅方向両側に腰裏材が連設された連設裏材であり、前記連設裏材はクッションを二つ備え、前記二つのクッションは連設裏材の横幅方向に離して設けられ、連設裏材を革靴のカウンターの裏側に取付けてすべり及び腰裏とすることにより、革靴の履き口の両側面であって、着用した足の踝の下方となる箇所であって、履き口のトップライン寄りの位置であり、踵部よりも前方両側面の夫々の箇所に配置されて、履き口の内側に突設されるようにしたものである。
【００１２】
本願発明のクッション付き裏材は、前記クッション付き裏材において、クッションの外側が補強材で被覆され、補強材のうちクッションの外周部分を裏材に縫製して、クッションを裏材と補強材の間に挟んだものである。
【００１３】
本願発明のクッション付き革靴は、紳士用、婦人用の革靴において、請求項１記載のクッション付き裏材を、革靴のカウンターの内側に取付けて腰裏とすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられたものである。
【００１４】
本願発明のクッション付き革靴は、紳士用、婦人用の革靴において、請求項２記載のクッション付き裏材を、革靴のカウンターの内側に取付けてすべりとすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられたものである。
【００１５】
本願発明のクッション付き革靴は、紳士用、婦人用の革靴において、請求項３記載のクッション付き裏材を、革靴のカウンターの裏側に取付けてすべり及び腰裏とすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられたものである。
【００１６】
本願発明のクッション付き革靴は、紳士用、婦人用の革靴において、請求項４記載のクッション付き裏材を、革靴のカウンターの裏側に取付けて腰裏、又はすべり、又はすべり及び腰裏とすることにより、革靴の履き口の両側面であって、着用した足の踝の下方となる箇所であって、革靴の履き口のトップライン寄りの位置であり、踵部よりも前方両側面の箇所に、クッションが、履き口の内側に突出して設けられたものである。
【発明の効果】
【００１７】
本願発明のクッション付き革靴には、次のような効果がある。
（１）クッションが横方向外側に広がり易い革靴の履き口のトップライン寄りの位置に設けられているため、靴を履いたり脱いだりするときにクッションが邪魔にならない。しかも、履けば、クッションが足の踝の下方側面にフィットするため足の収まりがよく歩行し易い。
（２）クッションを踝の下方部位であって、革靴の履き口のトップライン寄りの位置に設けてあるため、足の踵がクッションで圧迫されることが無く、踵やアキレス腱の上下動が阻害されることもなく、歩き難いとか踵が擦れるといったこともない。
（３）クッションが革靴に取付けられているため、クッションを、革靴とは別に購入する必要が無いため革靴に貼り付ける面倒が無く、貼り付け位置がばらついて履き心地が悪くなるといったこともない。
【００１８】
本願発明のクッション付き裏材は、次のような効果がある。
（１）クッションがすべり裏材又は腰裏材に取付けられているため、クッション付きの裏材を革靴のカウンターの裏側に取付ければ、クッションがすべり又は腰裏の内側に突出する。
（２）裏材がすべり裏材と腰裏材が連設された連設裏材であるため、連設裏材をカウンターの裏側に取付ければ、クッションがすべり又は腰裏の内側に突出する。
（３）クッションが補強材で被覆されているため、着用時に足が接触しても裏材から剥がれ難くなる。
【図面の簡単な説明】
【００１９】
【図１】（ａ）は、本願発明のクッション付き革靴の一例を示す斜視図、（ｂ）は、その部分拡大図。
【図２】紳士用革靴の一例を示す部分切り欠き図。
【図３】本願発明のクッション付き革靴のクッションの寸法、取付け位置関係を示す側面説明図。
【図４】（ａ）はクッションの設置位置を足骨との関係で説明する右側方図、（ｂ）はその左側方図。
【図５】（ａ）は本願発明のクッション付き裏材の一例を示す正面図、（ｂ）はそのクッション付き裏材の構造を説明する分解斜視図。
【図６】本願発明のクッション付き裏材のクッション取付け部分の一例を示す断面図。
【図７】本願発明のクッション付き裏材の他例であり、すべり裏材にクッションを取付けた状態の斜視図。
【図８】従来の取り外し式クッションの一例を示す斜視図。
【発明を実施するための形態】
【００２０】
［クッション付き革靴の構造］
本願発明のクッション付き革靴及びクッション付き裏材の実施形態の一例について、図１〜７を参照して説明する。図１に示すクッション付き革靴（以下、単に「革靴」という）は、革靴１のすべり２又は腰裏３の内面にクッション４が取付けられている。すべり２は革靴１が不用意に抜けないように又は足の着脱を容易にするために革靴１の踵部５の内側に取付けられたシートであり、表面が粗い革又は合成材（スエード状のもの）等が使用される。腰裏３は腰革６の内側の月型芯（カウンター）Ｃ（図２）の内側に取付けられた革であり、通常、表面が滑らかな革が使用されている。クッション４は、着用した足Ｆの踝Ｋの下方となる箇所であって、履き口７の口廻り（トップライン）８寄りの位置に取付けられている。本願において、着用した足Ｆの踝Ｋの下方となる箇所であって、履き口７のトップライン８寄りの位置とは、足骨との関係において、図４（ａ）の足骨図に示す腓骨Ｘ、距骨Ｙ、踵骨Ｚが交差する外側領域Ｐ１や、同図（ｂ）に示す脛骨Ｖの下端よりも下であって、舟状骨Ｗ、距骨Ｙ、踵骨Ｚが交差する内側領域Ｐ２を意味する。クッション４は着用者の足Ｆの踝Ｋの下方部分又はその周辺をホールドして、着用者の足Ｆの収まりを良くする（着用者の足Ｆの踝Ｋの下方部分にフィットさせる）ためのものである。クッション４は着用時にアキレス腱に触れない大きさとし、アキレス腱に触れない位置に設けるのが好ましい。
【００２１】
［クッション付き裏材の構造］
図１のクッション４は、図５に示すように、ほぼＴ字形のすべり裏材１０の両側方に、腰裏材１１を縫い付けて連設裏材１２を形成し、この連設裏材１２のすべり裏材１０にクッション４を取付けたクッション付き裏材１３を用意しておき、このクッション付き裏材１３を図１のように縫い糸Ｓで腰革６（図２）の内面に縫い付けて、すべり裏材１０をすべり２とし、腰裏材１１を腰裏３としてある。
【００２２】
［クッション］
クッション４は図３に示すように、革靴１の前後方向に細長であり、その長手方向先端４ａが長手方向後端４ｂ側（革靴への取付け時の踵側）よりも多少縦幅が広くなっており、上縁４ｃの長手方向中央部が多少下方に窪んで湾曲し、下縁４ｄの長手方向中央部が多少下方に突出して湾曲している。クッション４を前記形状とすることで、革靴１の履き口７から足を引き抜く際にクッション４と足との接触抵抗が小さくなって足を引き抜き易くしてある。
【００２３】
クッション４の材質は、ゴム、シリコン、ウレタン、ＥＶＡスポンジ、ジェルパット（気密性の小袋内にジェルが内蔵されたもの）、シリコンパッド、低反発材料、その他の弾性材が適する。一例として図３に示すクッション４のサイズは、長さが６０ｍｍ前後、長手方向先端４ａ側の縦幅Ｈ１が２０ｍｍ前後、長手方向後端４ｂ側の縦幅Ｈ２が１０ｍｍ前後、厚さＴ（図５（ｂ））が７ｍｍ前後が適する。クッション４の長手方向先端４ａと長手方向後端４ｂは円弧状に成形されており、長手方向先端４ａの弧（径Ｒ１）が２０ｍｍ程度、長手方向後端４ｂの弧（径Ｒ２）が１２ｍｍ程度にしてある。クッション４は使用者の踝Ｋの骨格に合わせて設計することができ、その形状、横幅、縦幅、厚さ、長手方向両端の弧のサイズ等は適宜変更することができる。
【００２４】
図５（ａ）（ｂ）のクッション４は、すべり裏材１０の裏面に配置され、クッション４の上にクッション４と相似形であってそれよりも一回り大きなサイズの補強材１６を被せ、その補強材１６の外周縁部をクッション４の外周縁に沿って縫い糸Ｓ（図５（ｂ）、図６）ですべり裏材１０に縫い付けることにより、すべり裏材１０と補強材１６で挟んですべり裏材１０に取付けてある。補強材１６はすべり裏材１０に接着剤で接着することもできる。補強材１６はその外周縁の一部を縫い糸Ｓですべり裏材１０に縫い付け、他の部分を接着剤ですべり裏材１０に接着するなどして、クッション４をすべり裏材１０と補強材１６の間に挟んですべり裏材１０に取付けることもできる。補強材１６には不織布、布、皮革等を使用することができる。
【００２５】
［クッション付き裏材の製造］
図５（ａ）に示すクッション付き裏材１３は、例えば、図５（ｂ）に示すようにして製造することができる。
（１）Ｔ字状のすべり裏材１０の幅方向両側に２枚の腰裏材１１を重ねて配置する。
（２）すべり裏材１０にクッション４と補強材１６を重ねて載せ、これらを接着剤ですべり裏材１０に固定する。
（３）すべり裏材１０と腰裏材１１の重ね部１７を縫い糸Ｓで縫い合わせる。このとき、前記重ね部１７の上に配置されている補強材１６の外周縁部１８を前記重ね部１７に縫い糸Ｓで縫い合わせる。
【００２６】
［革靴へのクッション付き裏材の取付け例］
前記クッション付き裏材１３（図５（ａ））は、通常の腰裏３を腰革６（図２）の裏側に取付ける場合と同様に、腰革６の内面に当てがい、縫い糸Ｓ（図１）で腰革６の表側（外側）までステッチ縫い（通し縫い）して取付けることができる。この取付けにより、クッション４は、図３のように、着用した足Ｆの踝Ｋの下方であって、履き口７のトップライン８寄りの位置に取付けられる。
【００２７】
クッション４の取付け位置は革靴１のサイズ、使用者の骨格等によっても異なるが、２５ｃｍの革靴１の場合の取付け位置の一例を図３に示す。履き口７のトップライン８からクッション４の上縁４ｃまでの寸法Ｌ１が５ｍｍ前後、踵部５の内面２０からクッション４の長手方向後端４ｂまでの寸法Ｌ２が２５ｍｍ前後、革靴１の中敷き２１の内面とクッション４の下縁４ｄまでの寸法Ｌ３が２２〜２３ｍｍ前後としてある。クッション４の上縁４ｃ（図３）はクッション４の長手方向後端４ｂを長手方向先端４ａ側よりも多少上にして、着用者の足Ｆの収まりが良くなる（足Ｆの踝Ｋの下にフィットし易くなる）ようにしてある。
【００２８】
［クッション付き裏材の他の実施形態］
前記実施形態のクッション付き裏材１３は、すべり裏材１０の両側方に腰裏材１１を連結した連設裏材１２にクッション４を取付けたものであるが、本願発明では、図７のように、ほぼＴ字状のすべり裏材１０にクッション４を取付けたものであってもよい。この場合、クッション４の上に補強材１６を被せること、補強材１６の外周を縫い糸Ｓで縫い付けること、図５の場合と共通するその他の構成は、図５の場合と同様にすることができる。図７のクッション付き裏材１３の場合は、すべり裏材１０を、通常のすべり裏材１０を腰革６の内面に取り付ける場合と同様に縫い糸Ｓで腰革６にステッチ縫いすることにより、クッション４が図３の場合と同じ位置又はほぼ同じ位置になるように取付けることができる。
【００２９】
［クッション付き裏材の他の実施形態］
図７のクッション付き裏材１３は、すべり裏材１０にクッション４を取付けたものであるが、本願発明では、可能であれば、腰裏材１１にクッション４を取付けることもできる。この場合も、クッション４の上に補強材１６を被せること、補強材１６の外周を縫い糸Ｓで縫い付けること、図５の場合と共通するその他の構成は、図５の場合と同様にすることができる。この場合、すべり裏材１０、腰裏材１１の形状や寸法を図５の場合と変えて、腰裏材１１を、通常の腰裏材を腰革６の内面に取り付ける場合と同様に縫い糸Ｓで腰革６にステッチ縫いすることにより、クッション４が図３の場合と同じ位置又はほぼ同じ位置になるように取付けることができる。
【００３０】
［革靴へのクッション材の他の取付け例］
図示した実施形態は、クッション４を、予め、連設裏材１２、又はすべり裏材１０、又は腰裏材１１に取付けておき、それら裏材を革靴１の腰革６にステッチ縫いして取付ける場合であるが、本願発明では、クッション４をそれら裏材に取付けることなく、個々のクッション４を補強材１６で被覆しておき、被覆されたクッション４を個別に、すべり２又は腰裏３の内面に縫い付けや接着によって取付けることもできる。この場合の取付け位置は図３のようにすることができる。
【００３１】
クッション４はすべり２又は腰裏３の内面に接着剤等で取付けてから（仮留めしてから）クッション４の表面を補強材１６で被覆し、その補強材１６の外周をすべり２又は腰裏３に縫い糸Ｓで縫い付けることにより、クッション４をすべり２又は腰裏３の内面に取付ける（固定する）こともできる。この場合のクッション４、補強材１６にも、前記クッション付き裏材１３に使用したクッション４、補強材１６と同じものを使用することができ、その他必要なことは、図１〜図６の実施形態と同様にすることができる。
【産業上の利用可能性】
【００３２】
前記実施形態では、オックスフォードと呼ばれるタイプの紳士靴（サイズ：２５ｃｍ）を一例として説明してあるが、本願発明のクッション付き革靴はこれ以外のタイプ（例えば、バルモラル、ブラッチャー、スリッポン、モンクと呼ばれるものなど）であっても、婦人靴であってもよい。本願発明のクッション付き裏材は、クッション付き革靴同様、紳士靴に限らず、婦人靴の部材として使用することもできる。
【符号の説明】
【００３３】
１      クッション付き革靴
２      すべり
３      腰裏
４      クッション
４ａ    （クッション材の）長手方向先端
４ｂ    （クッション材の）長手方向後端
４ｃ    （クッション材の）上縁
４ｄ    （クッション材の）下縁
５      踵部
６      腰革
７      履き口
８      口廻り（トップライン）
１０    すべり裏材
１１    腰裏材
１２    連設裏材
１３    クッション付き裏材
１６    補強材
１７    重ね部
１８    外周縁部
２０    （踵部の）内面
２１    中敷き
Ｃ      カウンター
Ｆ      足
Ｈ１    （クッションの）長手方向先端側の縦幅
Ｈ２    （クッションの）長手方向後端側の縦幅
Ｋ      踝
Ｌ１    トップラインからクッション材の上縁までの寸法
Ｌ２    踵内面からクッション材の踵側縁までの寸法
Ｌ３    中敷きの内面とクッション材の下縁までの寸法
Ｐ１    外側領域
Ｐ２    内側領域
Ｓ      縫い糸
Ｔ      クッション材の厚さ
Ｖ      脛骨
Ｗ      舟状骨
Ｘ      腓骨
Ｙ      距骨
Ｚ      踵骨
【図１】
0005498453.tif 000002
【図２】
0005498453.tif 000003
【図３】
0005498453.tif 000004
【図４】
0005498453.tif 000005
【図５】
0005498453.tif 000006
【図６】
0005498453.tif 000007
【図７】
0005498453.tif 000008
【図８】
0005498453.tif 000009